(57)【要約】【課題】マイクロホンの前に音源（人）がある場合にのみ、マイク出力が得られるようにする。【解決手段】マイクロホンユニット２０のほかに、マイクロホンユニット２０の収音範囲内に存在する人体を検出する焦電センサ３０を備え、その人体検出信号によってスイッチ２３を制御して、マイク出力部２２の出力状態を出力オン，出力オフのいずれかの状態に切り替える。【選択図】　図１
2004072559.tif 000002
【特許請求の範囲】
【請求項１】
音波を電気信号に変換するマイクロホンユニットと、上記マイクロホンユニットにて変換された電気信号を外部機器に出力するマイク出力部とを備えているマイクロホンにおいて、
上記マイク出力部の出力状態を出力オン，出力オフのいずれかの状態に切り替えるスイッチと、上記マイクロホンユニットの収音範囲内に存在する人体を検出する焦電センサと、上記焦電センサから出力される検出信号に基づいて上記スイッチを切り替えるスイッチ制御手段とを備えていることを特徴とするマイクロホン。
【請求項２】
上記焦電センサの検出信号を所定の外部機器に出力するセンサ出力部をさらに備えていることを特徴とする請求項１に記載のマイクロホン。
【請求項３】
当該マイクロホンが、内部に上記マイクロホンユニットを収納した音響管を有するラインマイクロホンであり、上記焦電センサが上記音響管内の上記マイクロホンユニットの前方位置に配置されていることを特徴とする請求項１または２に記載のマイクロホン。
【請求項４】
上記音響管内における上記焦電センサの位置が前後方向に調整可能であり、上記焦電センサの位置に応じて、同焦電センサの視野角が選択されることを特徴とする請求項３に記載のマイクロホン。
【発明の詳細な説明】
【０００１】
【発明の属する技術分野】
本発明は、もっぱら人が発する音声を収音する目的で使用されるマイクロホンに関し、さらに詳しく言えば、人の存在を検出する焦電センサを備えたマイクロホンに関するものである。
【０００２】
【従来の技術】
マイクロホンには、大別してコンデンサ型マイクロホンとダイナミック型マイクロホンとがあるが、いずれにしてもマイクロホンの前に音源（この場合、人）がないときにはマイク出力は必要がない。
【０００３】
しかしながら、従来のマイクロホンは、マイクスイッチ（電源スイッチ）をオンしている限り、マイクロホンユニットは動作状態におかれるため、マイクロホンの前に音源がない場合でも、マイク出力は常にオン状態を維持している。したがって、例えば会議場などでマイクロホンの前に音源（発言者）がない場合でも、周囲の雑音（不要音）が拾われて出力されてしまうことがある。
【０００４】
これを防止するには、マイクロホンの前に音源が存在するときにマイクスイッチをオンとし、マイクロホンの前から音源が立ち去ったときにはマイクスイッチをオフとすればよいのであるが、現実的な問題として、これを確実に実行することは難しい。
【０００５】
【発明が解決しようとする課題】
したがって、本発明の課題は、マイクロホンの前に音源（人）があるかないかを自動的に判断してマイク出力をオン，オフ制御することができるマイクロホンを提供することにある。
【０００６】
【課題を解決するための手段】
上記した課題を解決するため、本発明は、音波を電気信号に変換するマイクロホンユニットと、上記マイクロホンユニットにて変換された電気信号を外部機器に出力するマイク出力部とを備えているマイクロホンにおいて、上記マイク出力部の出力状態を出力オン，出力オフのいずれかの状態に切り替えるスイッチと、上記マイクロホンユニットの収音範囲内に存在する人体を検出する焦電センサと、上記焦電センサから出力される検出信号に基づいて上記スイッチを切り替えるスイッチ制御手段とを備えていることを特徴としている。
【０００７】
これによれば、マイクロホンの前に音源（人）がないときには、焦電センサから検出信号が出されないためスイッチがオフとされる。したがって、マイク出力はオフ状態となる。マイクロホンの前に音源（人）がある場合には、焦電センサから検出信号が出されスイッチがオンとなり、マイク出力はオン状態となる。
【０００８】
なお、スイッチはマイクロホンユニットとマイク出力部との間に接続されてもよいし、マイク出力部の信号出力端子側に設けられてもよい。本発明のマイクロホンにはワイヤレスマイクロホンも含まれ、その場合のマイク出力部には、電波送信部もしくは赤外線送信部が用いられる。スイッチは、リレースイッチなどの機械式スイッチのほかに電子式スイッチを使用することもできる。
【０００９】
好ましい態様として、本発明のマイクロホンには、マイク出力部のほかに、焦電センサの検出信号を所定の外部機器に出力するセンサ出力部がさらに設けられる。これによれば、そのセンサ出力によりビデオカメラや録音機などを動作させることができる。
【００１０】
また、本発明は、ハンドマイクロホン，スタンドマイクロホン，吊り下げ式マイクロホン，音響管を有するラインマイクロホンなどに適用可能であるが、ラインマイクロホンの場合、焦電センサは音響管内においてマイクロホンユニットの前方位置に配置される。
【００１１】
その場合、音響管内における焦電センサの位置を前後方向に調整可能とすることにより、焦電センサの位置に応じて、同焦電センサの視野角を任意に設定することができる。
【００１２】
【発明の実施の形態】
次に、図面を参照しながら、本発明の実施形態について説明する。図１に、本発明によるマイクロホンの要部を模式的に示す。
【００１３】
このマイクロホン１０は、到来する音波を電気的な音声信号に変換するマイクロホンユニット２０と、音源（この場合、人）を検出するための焦電センサ３０とを備えている。マイクロホンユニット２０の型式には特に制限がなく、例えばコンデンサ型や動電型のマイクロホンユニットを使用することができる。
【００１４】
マイクロホンユニット２０の出力側は、増幅回路２１を介して出力端子（マイク出力部）２２に接続されるが、この例では、増幅回路２１と出力端子２２との間にスイッチ２３が接続されている。
【００１５】
ケーブル式マイクロホンの場合、出力端子２２にはコネクタが用いられるが、ワイヤレス式マイクロホンの場合には、出力端子２２として電波送信部もしくは赤外線送信部が用いられる。
【００１６】
スイッチ２３は、リレースイッチなどの機械式スイッチもしくは電子式スイッチのいずれでもよい。スイッチ２３は、マイクロホンユニット２０と増幅回路２１との間に接続されてもよい。出力端子２２が、電波送信部もしくは赤外線送信部からなる場合、その送信部の駆動回路をオンオフするようにしてもよい。
【００１７】
焦電センサ３０は、その指向軸がマイクロホンユニット２０の収音範囲内に向けられる。焦電センサ３０には、増幅器３１を介してコンパレータ３２が接続されている。コンパレータ３２はスイッチ制御手段であり、その出力にてスイッチ２３をオンオフ制御する。
【００１８】
このマイクロホン１０は、コンパレータ３２の出力側に接続されたセンサ出力端子（センサ出力部）３３を備えている。ワイヤレス式マイクロホンの場合、センサ出力端子３３として電波送信部もしくは赤外線送信部が用いられる。
【００１９】
焦電センサ３０は音源（人）を検知したとき、所定レベルの検出信号電圧を出力する。コンパレータ３２は、増幅回路３１にて所定に増幅された検出信号電圧ＳＶと、あらかじめ設定された閾値電圧Ｖｒｅｆとを比較し、一例として、ＳＶ＞Ｖｒｅｆのとき出力を「Ｈｉ」とし、ＳＶ≦Ｖｒｅｆのとき出力を反転させて「Ｌｏ」とする。
【００２０】
コンパレータ３２の出力が「Ｈｉ」のとき、すなわちマイクロホン１０の前に音源（人）があるときスイッチ２３はオンとされ、これに対して、コンパレータ３２の出力が「Ｌｏ」のとき、すなわちマイクロホン１０の前に音源（人）がないときスイッチ２３はオフとされる。この「Ｈｉ」「Ｌｏ」出力はセンサ出力端子３３にも与えられる。
【００２１】
ここで、図２により、本発明をハンドマイクロホン１０Ａに適用する場合の一例について説明する。ハンドマイクロホン１０Ａにおいて、マイクロホンユニット２０は円筒状のグリップ部１１の一端側に支持され、その全体がウインドスクリーン１２によって覆われる。
【００２２】
焦電センサ３０は、その指向軸がマイクロホンユニット２０収音範囲内に向くようにマイクロホンに取り付けられるが、図２の例のように、焦電センサ３０の指向軸がマイクロホンユニット２０の収音軸と一致するように、ウインドスクリーン１２の頂点位置に設けられることが好ましい。
【００２３】
次に、図３により、本発明をラインマイクロホン１０Ｂに適用する場合の一例について説明する。なお、図３には（ａ）〜（ｄ）が含まれているが、これらの各図は焦電センサ３０の位置と視野角αとの関係を説明するためのものである。
【００２４】
ラインマイクロホン１０Ｂは細長い所定長さの音響管１３を備え、図３において音響管１３の左側が音源に向けられる前方とすると、マイクロホンユニット２０は音響管１３内の後端側に配置される。
【００２５】
なお、ラインマイクロホン１０Ｂの場合、マイクロホンユニット２０には一般的にエレクトレットコンデンサ型のマイクロホンユニットが用いられ、ゴムダンパー２５を介して音響管１３内に装着される。
【００２６】
焦電センサ３０は、適当な支持具などを介して音響管１３の外側に設けられてもよいが、図３に示すように、音響管１３内にその指向軸を音響管１３の軸線と一致させて配置することが好ましい。ただし、その位置はマイクロホンユニット２０の前方位置とする。
【００２７】
焦電センサ３０を音響管１３の内部に配置するにあたって、その位置を変えることにより、焦電センサ３０の視野角αを調整することができる。一例として、図３（ａ）〜図３（ｄ）に示すように、焦電センサ３０の位置を音響管１３の前方から後方に漸次ずらすことにより、視野角αを９０゜〜１０゜まで、段階的もしくは連続的に調整することができる。
【００２８】
図示しないが、焦電センサ３０の位置を連続的にずらすには、例えば音響管１３の管壁に、その軸線方向に沿ってガイドスリットを形成し、そのガイドスリット内を移動する支持板に焦電センサ３０を取り付ければよい。
【００２９】
また別の方法として、焦電センサ３０の位置を段階的にずらすには、音響管１３の管壁に、その軸線方向に沿って所定の間隔をもって複数の雌ネジ孔を穿設し、その雌ネジ孔の一つを選択して、それに螺合する雄ネジにて焦電センサ３０を支持するようにすればよい。
【００３０】
上記したいずれの態様においても、焦電センサ３０により、マイクロホン１０（１０Ａ，１０Ｂ）の前に音源（人）が検出された場合にのみ、スイッチ２３がオンとされマイク出力がオン状態となり、それ以外の場合はスイッチ２３がオフでマイク出力がオフ状態となる。
【００３１】
したがって、例えば会議施設などで複数のマイクロホンを隣接した状態で同時に使用する場合、焦電センサ３０により話者が検知されたマイクロホンのみからマイク出力が得られ、他のマイクロホンが不要音を収音することがなくなる。
【００３２】
また、本発明のマイクロホン１０（１０Ａ，１０Ｂ）を例えばセキュリティシステムに適用すると、侵入者を検知してマイクロホンが自動的に動作状態になるとともに、センサ出力端子３３から得られるセンサ出力によってビデオカメラや録音機などを動作させることができる。
【００３３】
別の適用例として、ドライブスルーにおいては、センサ出力端子３３から得られるセンサ出力によって来客を知ることができ、このとき動作状態となったマイクロホンの出力で客の注文を聞くことができる。
【００３４】
【発明の効果】
以上、説明したように、本発明によれば、マイクロホンユニットのほかに、マイクロホンユニットの収音範囲内に存在する人体を検出する焦電センサを備え、その人体検出信号によって、マイク出力部の出力状態を出力オン，出力オフのいずれかの状態に切り替えるようにしたことにより、マイクロホンの前に音源（人）がある場合にのみ、マイク出力を得ることができる。
【図面の簡単な説明】
【図１】本発明によるマイクロホンの要部を示す模式図。
【図２】本発明が適用されたハンドマイクロホンを概略的に示す側面図。
【図３】本発明が適用されたラインマイクロホンを概略的に示す断面図。
【符号の説明】
１０（１０Ａ，１０Ｂ）　マイクロホン
１１　グリップ部
１２　ウインドスクリーン
１３　音響管
２０　マイクロホンユニット
２２　マイク出力部
２３　スイッチ
３０　焦電センサ
３２　コンパレータ
３３　センサ出力部
【図１】
2004072559.tif 000003
【図２】
2004072559.tif 000004
【図３】
2004072559.tif 000005